(57)【要約】【課題】空きスペースを利用して、各種の広告を切り替え表示可能な台間機を提案すること。【解決手段】台間機１の台間機ホルダ２には、回転式広告表示ユニット７が取り付けられており、その前面パネル１４には透明な窓１５が形成されている。ユニット７の内部には無端ベルト４４が回転可能に掛け渡されており、この無端ベルト４４の外周面にはその移動方向に沿って一定の幅で広告表示面１６が多数形成されている。無端ベルト４４を回転させると、その外周面の各広告表示面１６が順次に窓１５に対峙した位置を通過する。遊技者は、外側から窓１５を介して各広告表示面１６に印刷されている広告を目視することができる。【選択図】　　　図３
2004024782.tif 000002
【特許請求の範囲】
【請求項１】
台間機本体と、この台間機本体の前面に取り付けられている前面パネルとを有し、遊技台で使用する遊技媒体の貸し出し処理を行う台間機において、
前記前面パネルに形成した情報表示用の窓と、
前記台間機本体の内部に配置され、外周面が情報表示面となっている回転式情報表示部材とを有し、
前記窓を介して、台間機前方から、前記回転式情報表示部材の回転位置に応じて前記情報表示面を目視可能であることを特徴とする台間機。
【請求項２】
請求項１において、
前記情報表示面は、前記窓の開口寸法と同一か、あるいは僅かに大きな寸法であることを特徴とする台間機。
【請求項３】
請求項１または２において、
駆動側プーリと、従動側プーリと、これら駆動側プーリおよび従動側プーリの間に掛け渡した前記回転式情報表示部材としての無端ベルトとを有し、
この無端ベルトの外周面における少なくとも一部が前記情報表示面であり、
当該無端ベルトはその外周面が前記窓に対峙する位置を経由して搬送されることを特徴とする台間機。
【請求項４】
請求項３において、
前記無端ベルトの外周面には、当該無端ベルトの移動方向に沿って複数の前記情報表示面が形成されていることを特徴とする台間機。
【請求項５】
請求項３または４において、
前記駆動側プーリを回転駆動するモータと、このモータを制御する回転制御部と、前記無端ベルトの回転位置を検出する検出器とを有し、
前記回転制御部は前記検出器による検出結果に基づき前記モータを駆動制御して、常に前記情報表示面の一つが前記窓に対峙する位置において前記無端ベルトが停止するように、当該無端ベルトの回転を制御することを特徴とする台間機。
【請求項６】
請求項５において、
前記前面パネルにはカード挿入口、紙幣挿入口および硬貨投入口の少なくとも一つが配置されており、
前記回転制御部は、カード、紙幣または硬貨が挿入されると、前記無端ベルトを回転させることを特徴とする台間機。
【請求項７】
請求項６において、
前記回転制御部は、少なくとも１つの前記情報表示面が前記窓を通過するまで、または所定時間だけ、前記無端ベルトを回転することを特徴とする台間機。
【請求項８】
請求項１ないし７のうちのいずれかの項において、
前記台間機本体に着脱可能に取り付けられた回転式情報表示ユニットを有し、
この回転式情報表示ユニットは、少なくとも、前記前面パネルの一部を形成している前面パネル部分と、この前面パネル部分に形成した前記窓と、前記情報表示部材とを備えていることを特徴とする台間機。
【発明の詳細な説明】
【０００１】
【発明の属する技術分野】
本発明は、隣接する遊技台で使用するパチンコ玉などの遊技媒体の貸し出し処理を行う台間機に関し、更に詳しくは、回転式の広告などの情報表示機能を備えた台間機に関するものである。
【０００２】
【従来の技術】
一般に、パチンコホールなどの遊技場では複数列の遊技島が配置されており、各遊技島は、複数の遊技台と、各遊技台の間に配置された台間機から構成されている。台間機は隣接配置されている遊技台で使用するパチンコ玉、メダルなどの遊技媒体を、挿入されたプリペイドカードや投入された現金等の有価証券の額に応じて貸し出すためのものであり、遊技者は遊技台に正対して座ったままで遊技媒体の貸し出しを受けることができるので便利である。
【０００３】
台間機としては、投入された金額に応じて直接に遊技媒体を貸し出す方式のもの（玉貸機、メダル貸機などと呼ばれるもの）と、遊技台との間で通信を行って遊技台からの遊技媒体の貸し出しを行わせる方式のもの（ユニットと呼ばれるもの）とが知られている。
【０００４】
ここで、台間機は遊技台の間などにおける限られたスペースに設置する必要があるので、遊技台間に形成される遊技台とほぼ同一高さ寸法の幅の狭いスペースに、上下方向に構成部品を配列した構成とされている。例えば、カード処理ユニット、制御ユニット、硬貨処理ユニットおよび紙幣処理ユニットがこの順序で下側から配列され、台間機前面におけるそれらのユニットの対応部位には、それぞれカード挿入口、操作部、硬貨投入口、紙幣挿入口などが配置された構成とされる。
【０００５】
【発明が解決しようとする課題】
このように台間機は、遊技台の高さ寸法に対応した高さ寸法となっているので、場合によっては、空きスペースが発生することがあり、その場合には、空きスペースに対応する台間機前面の部位には目隠し用の化粧パネルなどが取り付けられ、空きスペースが露出して台間機前面部分の見栄えが悪化するのを防止している。例えば、上記の例において、硬貨処理ユニットを省略した場合には、制御ユニットと紙幣処理ユニットの間に空きスペースができ、その前面部分には目隠し用の化粧パネルが取り付けられる。また、近年においては、各ユニットの小型化、コンパクトが図られており、この結果、台間機に空きスペースが出る場合がある。この場合においても台間機の空きスペースに対応する台間機前面部分には目隠し用の化粧パネルなどが取り付けられる。
【０００６】
本発明の課題は、この点に鑑みて、台間機前面に生ずる空きスペースを有効利用して、各種の広告などを自動的に切り替え表示可能な台間機を提案することにある。
【０００７】
【課題を解決するための手段】
上記の課題を解決するために、本発明は、台間機本体と、この台間機本体の前面に取り付けられている前面パネルとを有し、遊技台で使用する遊技媒体の貸し出し処理を行う台間機において、
前記前面パネルに形成した情報表示用の窓と、
前記台間機本体の内部に配置され、外周面が情報表示面となっている回転式情報表示部材とを有し、
前記窓を介して、台間機前方から、前記回転式情報表示部材の回転位置に応じて前記情報表示面を目視可能であることを特徴としている。
【０００８】
本発明によれば、回転式情報表示部材が所定の回転位置に至ると、前面パネルに形成されている窓を介して前方から情報表示面を目視できる。回転式情報表示部材に複数の広告などの情報を担持させておけば、台間機の前面パネルにおける空きスペースを利用して各種の広告などを切り替え表示することができる。
【０００９】
ここで、前記情報表示面は、前記窓の開口寸法と同一か、あるいは僅かに大きな寸法とすることが望ましい。
【００１０】
また、回転式情報表示部材は、駆動側プーリと従動側プーリの間に掛け渡した無端ベルトとすることができる。この場合には、この無端ベルトの外周面における少なくとも一部を前記情報表示面とし、当該無端ベルトを、その外周面が前記窓に対峙する位置を経由する無限軌道に沿って搬送すればよい。
【００１１】
この場合には、前記無端ベルトの外周面に、当該無端ベルトの移動方向に沿って複数の前記情報表示面を形成すれば、各種の情報を切り替え表示可能である。
【００１２】
さらに、各情報表示面の切り替えを自動的に行うためには、前記駆動側プーリを回転駆動するモータと、このモータを制御する回転制御部と、前記無端ベルトの回転位置を検出する検出器とを配置すればよい。
【００１３】
また、窓を介して常に一つの情報表示面のみが表示されるようにするためには、前記検出器による検出結果に基づき、前記モータを駆動制御して、常に前記情報表示面の一つが前記窓に対峙する位置において前記無端ベルトが停止するように、当該無端ベルトの回転を制御すればよい。
【００１４】
情報表示面の切り替えは、カード、紙幣あるいは硬貨の挿入をトリガとして行うようにすることができる。すなわち、前記前面パネルにカード挿入口、紙幣挿入口および硬貨投入口の少なくとも一つが配置されている場合に、前記回転制御部により、カード、紙幣または硬貨が挿入されたときに、前記無端ベルトを回転させるようにすればよい。
【００１５】
この場合、前記回転制御部によって、少なくとも１つの前記情報表示面が前記窓を通過するまで、または所定時間だけ、前記無端ベルトを回転すればよい。
【００１６】
次に、情報表示部分をユニット式として、台間機本体に着脱可能にすれば、空きスペースのある台間機に対して簡単に取り付けることが可能になる。すなわち、前記台間機本体に着脱可能に取り付けられた回転式情報表示ユニットを有し、この回転式情報表示ユニットが、少なくとも、前記前面パネルの一部を形成している前面パネル部分と、この前面パネル部分に形成した前記窓と、前記情報表示部材とを備えていることが望ましい。
【００１７】
【発明の実施の形態】
以下に、図面を参照して本発明を適用した台間機の実施例を説明する。
【００１８】
図１（ａ）は本例の台間機を示す正面図であり、図１（ｂ）はその側面図である。図２はその台間機ホルダおよび台間機本体を分離させた状態で示す側面図である。これらの図を参照して説明すると、本例の台間機１は、遊技島の遊技台の間の位置において、遊技島を構成している木枠などに取り付けられた台間機ホルダ２と、この台間機ホルダ２に着脱可能に取り付けられた台間機本体３とから構成されている。
【００１９】
台間機本体３は、前面が開口となっている扁平な縦長の直方体形状をした本体ケース４と、この本体ケース４の前面開口から装着された下側ユニット５および上側ユニット６と、これらの間の位置において本体ケース４に装着されている回転式広告表示ユニット７とを備えている。また、台間機ホルダ２には中継器８が取り付けられており、この中継器８に各ユニット５、６、７が電気的に接続され、これらの間で信号の送受が行われる。また、当該中継器８を介して遊技店側のホストコンピュータとの間で信号の送受が行われる。
【００２０】
下側ユニット５はカードリーダライタおよび各部の制御を司る制御部を備えており、当該下側ユニット５の前面パネル９には、その下側にプリペイドカードを挿入するためのカード挿入・排出口１０が配置され、その上側にはテンキー、液晶表示器などが備わっている操作部１１が配置されている。上側ユニット５は紙幣処理ユニットであり、その前面パネル１２には紙幣挿入口１３が配置されている。
【００２１】
回転式広告表示ユニット７は、これら上下のユニット５、６の間の空きスペースに装着されているユニットであり、その前面パネル１４には縦長の透明な窓１５が形成されている。台間機１の前方からは、この透明な窓１５を介して、内部に配置されている回転切り替え式の広告表示面１６を目視可能となっている。
【００２２】
図３（ａ）は回転式広告表示ユニット６の内部構造を示すために一部分を切り欠いて示す台間機の側面図であり、図３（ｂ）はそのｂ−ｂ線で切断した部分の概略断面図である。以下に、図２および図３を参照して回転式広告表示ユニット６の内部構造を説明する。
【００２３】
回転式広告表示ユニット７のユニットケース３０は、水平な上枠３１および下枠３２と、これらの前端を連結している垂直に延びる前枠３３とを有し、これらの枠３１、３２、３３の両側には側面パネル３４、３５が取り付けらた構成となっている。前枠３３の前側には前面パネル１４が取り付けられており、側面パネル３５の後端は直角に折れ曲がり、後面パネル部分３５ａを形成しており、この端部に他方の側面パネル３４の後端の折り曲げ部分３４ａが積層固定されている。前面パネル１４は、円弧状の前板部分１４ａと、この両側縁から後方に延びる側板部分１４ｂ、１４ｃとを備えた樹脂成形品からなり、前板部分１４ａには、縦長の透明な素材がはめ込まれた窓１５が形成されている。
【００２４】
この構成のユニットケース３０の内部において、その後端部分には、垂直に駆動側プーリ４１が上下の枠３１、３２の間に回転自在に支持されている。また、その前端部分における前枠３３と前面パネル１４の間の位置には、上下の枠３１、３２の間に垂直状態で左右一対の従動側プーリ４２、４３が回転自在の状態で支持されている。これら駆動側プーリ４１と、従動側プーリ４２、４３との間には、広幅の無端ベルト４４が掛け渡されている。
【００２５】
ここで、この無端ベルト４４の外周面には、図２に示すように、その移動方向に向けて、同一の間隔で同一幅の広告表示面１６（１６（１）、１６（２）、１６（３）・・・）が形成されており、各広告表示面１６には例えば異なる広告が印刷されている。各広告表示面１６の幅は、例えば、一対の従動側プーリ４２、４３の中心間距離と同一に設定されている。また、前面パネル１４に形成した窓１５の幅は、当該中心間距離よりも僅かに狭い幅に設定され、その長さは、広告表示面１６の長さよりも僅かに短い寸法に設定されている。
【００２６】
駆動側プーリ４１の下端部分と、この前側位置において下枠３２に回転自在に支持されている小プーリ４５との間には、動力伝達ベルト４６が掛け渡されている。小プーリ４５の回転軸４６は下枠３２を貫通して下側に突出している。下枠３２の下面にはステッピングモータなどの駆動モータ４７が水平に後向きに取り付けられており、このモータ出力軸４７ａと小プーリ回転軸４６の間が一対のベベルギヤからなる減速機構４８を介して連結されている。また、小プーリ回転軸４６の上端部分には、当該小プーリ４５の回転位置を検出するためのオプティカルエンコーダ４９が取り付けられている。
【００２７】
さらに、ユニットケース３０の内部において、前枠３３の背面側の位置には、当該前枠３３に沿って垂直に反射板付きのバックライト５０が配置されている。前枠３３には投光窓（図示せず）が形成されており、当該バックライト５０によって、一対の従動側プーリ４２、４３の間に掛け渡されている無端ベルト４４の部分を背面側から照明可能となっている。さらにまた、ユニットケース３０の内部には、広告表示面１６が形成されている無端ベルト４４の回転位置を制御するための回転制御部５１と、当該回転制御部５１、駆動モータ４７およびバックライト５０に電力を供給するための電源回路部５２とが配置されている。
【００２８】
このように構成された本例の台間機１における回転式広告表示ユニット７の動作を説明する。カード挿入・排出口１０あるいは紙幣挿入口１３にプリペイドカードあるいは紙幣が挿入されると、下側ユニット５あるいは上側ユニット６では、その検知信号を中継器８を介して、回転式広告表示ユニット７の回転制御部５１に送出する。回転制御部５１は、この信号を受け取ると、駆動モータ４７を駆動することにより、無端ベルト４４の回転を開始する。
【００２９】
本例では、例えば、無端ベルト４４をほぼ一周させるようになっている。すなわち、窓１５に広告表示面１６（１）が対峙している場合には、当該広告表示面１６（１）に対して回転方向手前側に隣接している広告表示面１６（ｎ）が窓１５に対峙するまで回転を行う。回転位置の制御は、オプティカルエンコーダ４９の出力信号に基づき行われ、常に、各広告表示面１６が窓１５に正対した状態で停止するように回転が制御される。
【００３０】
このようにして、本例の台間機１においては、プリペイドカードあるいは紙幣が投入される毎に、無端ベルト４４が回転して、その外周面の各広告表示面１６が窓１５を介して前側から目視可能な位置を通過する。これにより、遊技者は、各広告表示面１６を見ることができる。また、無端ベルト４４が停止する毎に１コマずつ広告表示面１６が切り替わった状態となり、常に異なる広告表示面１６が表示される。よって、効果的に異なる広告を表示できる。
【００３１】
さらに、本例では、台間機本体３に対して着脱可能な回転式広告表示ユニット７を用いて、広告表示機能を台間機１に付与している。従って、空きスペースの有る台間機１に対して簡単に取り付けるようにすることも可能になるので好ましい。
【００３２】
なお、本例では、プリペイドカードあるいは紙幣をトリガとして広告表示面１６を回転させて切り替えるようにしているが、例えば、一定時間毎に広告表示面を切り換えてもよいし、常に、遅い速度で無端ベルト４４を連続搬送させることにより、広告表示面１６を切り替えるようにしてもよい。あるいは、遊技店のホストコンピュータなどからの外部指令に基づき、広告表示面１６を回転させて切り替えるようにしてもよい。これ以外の各種の形態で広告表示面を切り替えることも可能である。
【００３３】
また、本例では、垂直に支持したプーリ４１、４２、４３に無端ベルト４４を掛けた構成としているが、水平に配置したプーリに無端ベルトを掛け渡して、上下方向に無端ベルトを移動させながら、その表面の広告表示面を切り替えるようにすることも可能である。
【００３４】
さらに、本例では、オプティカルエンコーダ４９を用いて回転位置を制御しているが、異なる検出形式の位置検出器を用いることも可能である。あるいは、各広告表示面１６の位置を直接に検出して閉ループ制御により位置制御を行うことも可能である。または、ステッピングモータを用いる場合にはモータのステップ数に基づき位置制御を行うことも可能である。
【００３５】
一方、無端ベルト４４の素材については言及しなかったが、バックライトにより広告が浮き出るような透光性の素材のものが望ましい。しかし、遮光性の素材を用いることも可能であり、この場合には前方から照明を行えばよい。
【００３６】
なお、上記の例は広告表示機能を備えた台間機の例であるが、広告以外の各種の情報、例えば、遊技台の使用説明などを表示可能にすることも同様に可能である。
【００３７】
【発明の効果】
以上説明したように、本発明の台間機では、外周面に情報表示面が形成されている回転式情報表示部材を備え、各情報表示面を前面パネルに形成した窓を介して、当該回転式情報表示部材の回転位置に応じて目視可能としてある。従って、回転式情報表示部材を回転させることにより、その外周面に形成されている各種の情報表示面を切り替え表示できる。よって、前面パネルに空きスペースのある台間機に本発明を適用すれば、当該空きスペースを有効活用して、各種の情報を切り替え表示できる。
【図面の簡単な説明】
【図１】（ａ）は本発明を適用した台間機を示す正面図であり、（ｂ）はその側面図である。
【図２】図１の台間機ホルダおよび台間機本体を分離させ、一部を切り欠いた状態で示す側面図である。
【図３】（ａ）は図１の台間機の回転式広告表示ユニットの内部構造を示すために一部分を切り欠いて示す台間機本体の側面図であり、（ｂ）はそのｂ−ｂ線で切断した部分の概略断面図である。
【符号の説明】
１　　台間機
２　　台間機ホルダ
３　　台間機本体
４　　本体ケース
５　　下側ユニット
６　　上側ユニット
７　　回転式広告表示ユニット
１０　カード挿入・排出口
１３　紙幣挿入口
１４　前面パネル
１５　窓
１６、１６（１）〜１６（ｎ）　広告表示面
３０　ユニットケース
４１　駆動側プーリ
４２、４３　従動側プーリ
４４　無端ベルト（情報表示部材）
４７　駆動モータ
４９　オプティカルエンコーダ
５０　バックライト
５１　回転制御部
５２　電源回路部
【図１】
2004024782.tif 000003
【図２】
2004024782.tif 000004
【図３】
2004024782.tif 000005